【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
上方側の矩形状部分と、
下方側の逆ピラミッド状部分と、
前記下方側の逆ピラミッド状部分の底部領域に配置した単一のデュアルノズル・アセンブリと
を備える、溶融金属の保持及び鋳込みボックス。
【請求項２】
上方側の矩形状部分と、
一対のノズルを有する単一のデュアルノズル・アセンブリを取り囲む下方側の逆ピラミッド状部分であって、当該単一のデュアルノズル・アセンブリが、前記下方側の逆ピラミッド状部分の底部領域内に位置するものであり、当該単一のデュアルノズル・アセンブリが、熱伝導性材料で構成されるとともに、前記下方側の逆ピラミッド状部分との接触から遮断され、かつ、前記一対のノズルを通じて鋳込む期間及び鋳込まない期間にわたって、当該溶融金属の保持及び鋳込みボックス内に含まれる溶融金属と熱接触するものである下方側の逆ピラミッド状部分と、
一対のストッパーロッドであって、当該一対のストッパーロッドが前記一対のノズルと嵌合して、前記一対のノズルのそれぞれを通って注がれる前記溶融金属の流れを制御する一対のストッパーロッドと
を備える、溶融金属の保持及び鋳込みボックス。
【請求項３】
当該溶融金属の保持及び鋳込みボックスが、外側構造支持層と、当該溶融金属の保持及び鋳込みボックス内の溶融金属の温度を維持するための少なくとも一の内側断熱材料層とを更に備える、請求項２に記載の溶融金属の保持及び鋳込みボックス。
【請求項４】
前記単一のデュアルノズル・アセンブリが、アルミナ及びシリカからなるグループから選択される材料で構成される、請求項２又は３に記載の溶融金属の保持及び鋳込みボックス。
【請求項５】
前記一対のノズルのそれぞれが、円錐漏斗状の注入口を有するものとし、前記一対のストッパーロッドのそれぞれのノズル挿入端部が、前記一対のノズルの前記円錐漏斗状の注入口に挿入されて、前記一対のノズルを通る溶融金属の流れが停止されたとき、前記一対のノズルのそれぞれにおける前記円錐漏斗状の注入口の一部が、当該溶融金属の保持及び鋳込みボックス内の溶融金属に接触するように、前記一対のストッパーロッドのそれぞれのノズル挿入端部が構成される、請求項２〜４のいずれか一項に記載の溶融金属の保持及び鋳込みボックス。
【請求項６】
前記単一のデュアルノズル・アセンブリ内の前記一対のノズルの各々の排出口の周囲で、当該溶融金属の保持及び鋳込みボックスの前記下方側の逆ピラミッド状部分の底部領域に取外し可能に固定される単一のデュアルノズル保持プレートを更に備える、請求項２〜５のいずれか一項に記載の溶融金属の保持及び鋳込みボックス。
【請求項７】
前記単一のデュアルノズル保持プレートが、前記下方側の逆ピラミッド状部分の底部領域に固定される一対の保持支柱、及び、前記単一のデュアルノズル保持プレートの下部で前記一対の保持支柱の各々を通過する保持接続具により、当該溶融金属の保持及び鋳込みボックスにおける前記下方側の逆ピラミッド状部分の底部領域に取外し可能に固定される、請求項６に記載の溶融金属の保持及び鋳込みボックス。
【請求項８】
前記単一のデュアルノズル・アセンブリが、当該単一のデュアルノズル・アセンブリの周囲を取り囲む断熱材料と、前記一対のノズルの各々の前記排出口の周りに取り付けた断熱スタンドオフとの組み合わせにより、前記下方側の逆ピラミッド状部分との接触から遮断されるものとし、前記断熱スタンドオフが、当該単一のノズル・アセンブリの底部と、前記単一のデュアルノズル保持プレートの上側との間に配置される、請求項６又は７に記載の溶融金属の保持及び鋳込みボックス。
【請求項９】
上方側の矩形状部分及び下方側のピラミッド状部分を有する溶融金属の保持及び鋳込みボックスから、一対のモールド内へと溶融金属を鋳込む方法であって、当該溶融金属の保持及び鋳込みボックスが、前記下方側のピラミッド状部分の底部に配置した単一のデュアルノズル・アセンブリを有するものであり、前記単一のデュアルノズル・アセンブリが、一対のノズルを有するものであり、該方法が、
前記一対のモールドを、当該溶融金属の保持及び鋳込みボックスとの溶融金属の受取り関係に搬送すること、
前記単一のデュアルノズル・アセンブリを、前記溶融金属と常に接触させることにより、前記単一のデュアルノズル・アセンブリを、当該溶融金属の保持及び鋳込みボックス内の前記溶融金属と同じ温度で保持すること、及び
前記溶融金属を、当該溶融金属の保持及び鋳込みボックスから、前記単一のデュアルノズル・アセンブリの前記一対のノズルのそれぞれに通過させて鋳込み、それにより、当該溶融金属の保持及び鋳込みボックス内に含まれる前記溶融金属の７５％を、前記溶融金属の流量の約３０％未満の低下で前記一対のモールドに鋳込むこと
を備える、方法。
【請求項１０】
溶融金属を一対のモールドに鋳込むための、上方側の矩形状部分及び下方側のピラミッド状部分を有する溶融金属の保持及び鋳込みボックスにおける既存の単一のデュアルノズル・アセンブリを交換する方法であって、前記既存の単一のデュアルノズル・アセンブリが、前記下方側のピラミッド状部分の底部に位置するとともに、互いに第一距離で離れて間隔をおく一対のノズルを有するものであり、断熱材料が、前記既存の単一のデュアルノズル・アセンブリの周囲を取り囲んでおり、単一のデュアルノズル保持プレートが、当該溶融金属の保持及び鋳込みボックスの前記既存の単一のデュアルノズル・アセンブリの底部を保持しており、該方法が、
単一のデュアルノズル・アセンブリ保持プレートを当該溶融金属の保持及び鋳込みボックスの底部に支持する一対の保持支柱から、一対の保持接続具を取り外すことにより、当該単一のデュアルノズル・アセンブリ保持プレートを、前記既存の単一のデュアルノズル・アセンブリの前記底部から取り外すステップ、
前記既存の単一のデュアルノズル・アセンブリの側部を取り囲む断熱材料を取り外し、前記既存の単一のデュアルノズル・アセンブリを、当該溶融金属の保持及び鋳込みボックスから解放するステップ、
当該溶融金属の保持及び鋳込みボックスの底部内に、新たな単一のデュアルノズル・アセンブリを挿入するステップであって、前記新たな単一のデュアルノズル・アセンブリが、前記既存の単一のデュアルノズル・アセンブリと同様の全体寸法を有し、前記新たな単一のデュアルノズル・アセンブリが、互いに第二距離で離れて間隔をおく一対の新たなノズルを有し、前記第二距離が前記第一距離とは異なるものであるステップ、
前記新たな単一のデュアルノズル・アセンブリの側部の周囲に、前記断熱材料を取り付けるステップ、及び、
前記一対の保持接続具を、前記一対の保持支柱に挿入し、前記単一のデュアルノズル・アセンブリ保持プレートを、前記新たな単一のデュアルノズル・アセンブリの底部に対して支持することにより、前記単一のデュアルノズル・アセンブリ保持プレートを、前記新たな単一のデュアルノズル・アセンブリの底部に取り付けるステップ
を備える、方法。
【手続補正２】
【補正対象書類名】明細書
【補正対象項目名】００４６
【補正方法】変更
【補正の内容】
【００４６】
たとえば、米国特許第４７４４４０７号に開示されるように、溶融金属が、単一のデュアルノズル・アセンブリ内で開いたノズルから満たされる二個のスプルーカップのそれぞれにおける必要なレベルに達した時を決定するための画像装置を設置するべく、図４に示すような溶融金属の保持及び鋳込みボックス１０の外部に、窪み１０ｃを設けることができる。